(57)【要約】【課題】消費電力が少なく、回路規模が小さく、汎用性が高い構成で、予め記憶した映像データの画像表示と、外部からの画像表示とを行うこと。【解決手段】タイミング信号選択部１２４は、タイミング信号発生部１２３から出力されたフレームタイミング信号を駆動部１２８へ出力し、記憶部１２６に蓄えられた映像データを読み出して駆動部１２８へ供給するタイミングを制御する読み出しタイミング信号を、映像読み出し部１２７に出力する。映像データ読み出し部１２７は、タイミング信号選択部１２４から読み出しタイミング信号が出力された場合、読み出しタイミング信号が指示するタイミングに応じて記憶部１２６から映像データを読み出し、駆動部１２８に出力する。駆動部１２８は、映像データを、タイミング信号選択部１２４から出力されたフレームタイミング信号のタイミングに合わせて映像表示部１２９に出力する。【選択図】　　　図１
2004029799.tif 000002
【特許請求の範囲】
【請求項１】
同期信号を供給する同期信号発生手段と、前記同期信号と外部から供給される同期信号との一方を選択する選択手段と、前記選択手段で選択された同期信号に同期して映像を表示する表示手段と、を具備することを特徴とする映像表示装置。
【請求項２】
選択手段は、外部から同期信号が供給された場合、当該同期信号を選択することを特徴とする請求項１に記載の映像表示装置。
【請求項３】
映像データを記憶する映像記憶手段を具備し、表示手段は、外部から映像データが供給された場合、前記映像データに対応する映像を表示し、外部から映像データが供給されない場合、映像記憶手段に記憶した映像データに対応する映像を表示することを特徴とする請求項１または請求項２に記載の映像表示装置。
【請求項４】
映像記憶手段から映像データを読み出すタイミング以外の期間に、前記映像記憶手段に映像データを書きこむタイミングを設定し、前記タイミングで外部から入力した映像データを前記映像記憶手段に記憶する書き込み制御手段を具備することを特徴とする請求項３に記載の映像表示装置。
【請求項５】
映像記憶手段は、映像データの読み出しと書き込みとを同時に行うことを特徴とする請求項３に記載の映像表示装置。
【請求項６】
制御信号を送信する場合と映像データを送信する場合とを示す識別信号を受信し、前記識別信号を用いて共通の信号線で外部から入力した制御信号及び映像データを含む信号を分離する分離手段を具備し、表示手段は、前記制御信号に従って前記映像データに対応する映像を表示することを特徴とする請求項１から請求項５のいずれかに記載の映像表示装置。
【請求項７】
制御信号を送信する場合と制御信号の引数を送信する場合とを示す引数識別信号を受信し、前記引数識別信号を用いて共通の信号線で外部から入力した制御信号及び制御信号の引数を含む信号を分離する分離手段を具備し、表示手段は、前記制御信号及び前記制御信号の引数に従って映像データに対応する映像を表示することを特徴とする請求項１から請求項５のいずれかに記載の映像表示装置。
【請求項８】
制御信号を送信する場合と映像データを送信する場合とを示す識別信号及び制御信号と映像データとを共通の信号線を用いて時分割で請求項６に記載の映像表示装置に送信する信号送信手段を具備することを特徴とする映像生成装置。
【請求項９】
外部から入力された制御信号を記憶し、信号送信手段の要求に応じて記憶した制御信号を出力する信号記憶手段を具備することを特徴とする請求項８に記載の映像生成装置。
【請求項１０】
制御信号を送信する場合と制御信号の引数を送信する場合とを示す引数識別信号及び制御信号と制御信号の引数とを共通の信号線を用いて時分割で請求項７に記載の映像表示装置に送信する信号送信手段を具備することを特徴とする映像生成装置。
【請求項１１】
外部から入力された制御信号及び制御信号の引数を記憶し、信号送信手段の要求に応じて記憶した制御信号及び制御信号の引数を出力する信号記憶手段を具備することを特徴とする請求項１０に記載の映像生成装置。
【請求項１２】
信号送信手段が映像データを送信していない期間を示す外部から参照可能なフラグを記憶するフラグ記憶手段を具備することを特徴とする請求項８から請求項１１のいずれかに記載の映像生成装置。
【請求項１３】
信号送信手段が映像データを送信していない期間に外部の処理装置に制御信号を要求する要求信号を送信する割り込み要求手段を具備することを特徴とする請求項８から請求項１１のいずれかに記載の映像生成装置。
【請求項１４】
外部から入力された符号化映像データを復号化する復号化手段と、前記復号化した映像データの出力タイミングを示す映像同期信号を生成する映像同期信号生成手段と、を具備することを特徴とする請求項８から請求項１３のいずれかに記載の映像生成装置。
【請求項１５】
復号化された映像データと外部から入力された画像データを選択する画像選択手段を具備し、信号送信手段は、請求項１から請求項７いずれかに記載の映像表示装置に前記選択された映像データまたは画像データを出力することを特徴とする請求項１４に記載の映像生成装置。
【請求項１６】
外部から入力された画像データを記憶し、記憶した画像データを画像選択手段に出力する画像記憶手段を具備することを特徴とする請求項１５に記載の映像生成装置。
【請求項１７】
復号化された映像データと外部から入力された画像データにそれぞれ所定の重み付けを行い、重み付けした映像データと画像データを加算して合成する画像合成手段を具備し、合成した映像データを請求項１から請求項７のいずれかに記載の映像表示装置に出力することを特徴とする請求項１４に記載の映像生成装置。
【請求項１８】
外部から入力された画像データを記憶し、記憶した画像データを画像合成手段に出力する画像記憶手段を具備することを特徴とする請求項１７に記載の映像生成装置。
【請求項１９】
復号化手段及び映像同期信号生成手段の電力供給を制御し、前記復号化手段及び前記映像同期信号生成手段が動作しない場合、電力供給を停止する電源制御手段を具備することを特徴とする請求項１４から請求項１８のいずれかに記載の映像生成装置。
【請求項２０】
請求項１から請求項７のいずれかに記載の映像表示装置を具備することを特徴とする映像装置。
【請求項２１】
請求項８から請求項１９のいずれかに記載の映像生成装置を具備することを特徴とする映像装置。
【請求項２２】
請求項１から請求項７のいずれかに記載の映像表示装置を具備することを特徴とする通信装置。
【請求項２３】
請求項８から請求項１９のいずれかに記載の映像生成装置を具備することを特徴とする通信装置。
【請求項２４】
同期信号を供給し、前記同期信号と外部から供給される同期信号との一方を選択し、前記選択された同期信号に同期して映像を表示する映像表示方法。
【発明の詳細な説明】
【０００１】
【発明の属する技術分野】
本発明は、映像装置及び映像表示方法に関し、特に、映像データを表示する映像表示機能または映像データを生成する映像生成機能の少なくとも一方を備える電子装置に用いて好適な映像装置及び映像表示方法に関する。
【０００２】
【従来の技術】
一般にテレビジョン受像機や液晶パネルなど映像表示装置は、映像データを一定周期毎に転送して表示している。
【０００３】
映像表示装置は、表示画面にちらつきが生じないように一定速度以上で映像データを転送するために、予め定められたリフレッシュ周期で映像表示装置へ映像データを転送する回路を高い周波数で常に連続して動作させておく必要があり、この結果、消費電力が増大する。
【０００４】
この問題を解決する方法として、映像データの転送方式を改善することで低消費電力化を図る構成、例えば特開平６−１３０９１０公報に記載されているものなどがある。
【０００５】
この構成では、映像を表示するＬＣＤモジュールに内部記憶回路を内蔵する。また、ＭＰＵ（マイクロ・プロセッサ・ユニット）が制御するシステムバスに接続した外部記憶回路を備えた構成をとる。そして、これらの内部記憶回路と外部記憶回路との間で映像データ転送を間欠的に行う。この間欠的な映像データ転送に必要な高周波クロックは、映像データ転送を行う時にだけ発信させる。高周波クロック発信源の起動と映像データ転送の実行は、外部記憶回路が接続しているシステムバスの動作を専用回路にて監視し、ＭＰＵが外部記憶回路へアクセスしたことを検出することにより行う。
【０００６】
一方で、近年のマルチメディア化に伴い映像通信などを目的とした携帯端末への要求が高まっている。このような携帯端末に用いられる映像表示装置には、映像を表示するという機能のほかに、待ち受け時の部分表示機能や静止画像の壁紙表示機能など多彩な機能が要求される。しかし、このような機能の制御をＭＰＵから行うために、ＭＰＵと映像表示装置の間に専用のインタフェースを設けることは、機器の小型化、低コスト化に対する障害となる。
【０００７】
これに対し、映像信号あるいは同期信号に表示画面の制御信号を重畳する構成として、例えば特開平９−２０４１６７公報に記載されているものなどがある。この構成では、コンピュータ本体において、利用者の指示により制御信号重畳回路が制御信号を作成し、表示制御回路が発生する映像信号あるいは同期信号の垂直帰線期間にこの制御信号を重畳する。ディスプレイでは、映像信号あるいは同期信号に重畳された制御信号を制御信号抽出回路で抽出し、抽出された制御信号をもとにディスプレイ制御回路が調整信号を発生する。
【０００８】
【発明が解決しようとする課題】
しかしながら、従来の装置においては、例えば無線制御、音声処理など多量の処理を必要とする携帯端末などの電子装置では、映像データを記憶する外部記憶回路をシステムバスに接続し、ＭＰＵが制御するシステムバスを通して膨大な情報量を持つ映像データを転送することが、ＭＰＵにとって大きな処理負担になる。
【０００９】
また、従来の装置においては、映像データを転送するために専用回路が必要である、または制御を実現するために映像信号および映像同期信号を映像表示装置に常に供給する必要があり、機器の小型化、低消費電力化の障害となる。
【００１０】
本発明はかかる点に鑑みてなされたものであり、消費電力が少なく、回路規模が小さく、汎用性が高い構成で、予め記憶した映像データの画像表示と、外部からの画像表示とを行うことができる映像表示装置を提供することを目的とする。
【００１１】
【課題を解決するための手段】
本発明の映像表示装置は、同期信号を供給する同期信号発生手段と、前記同期信号と外部から供給される同期信号との一方を選択する選択手段と、前記選択手段で選択された同期信号に同期して映像を表示する表示手段と、を具備する構成を採る。
【００１２】
この構成によれば、内部に記憶した画像データを内部で発生した同期信号のタイミングで表示することにより、映像表示装置単独で映像データを表示することができる。
【００１３】
本発明の映像表示装置は、選択手段は、外部から同期信号が供給された場合、当該同期信号を選択する構成を採る。
【００１４】
本発明の映像表示装置は、映像データを記憶する映像記憶手段を具備し、表示手段は、外部から映像データが供給された場合、前記映像データに対応する映像を表示し、外部から映像データが供給されない場合、映像記憶手段に記憶した映像データに対応する映像を表示する構成を採る。
【００１５】
本発明の映像表示装置は、映像記憶手段から映像データを読み出すタイミング以外の期間に、前記映像記憶手段に映像データを書きこむタイミングを設定し、前記タイミングで外部から入力した映像データを前記映像記憶手段に記憶する書き込み制御手段を具備する構成を採る。
【００１６】
これらの構成によれば、外部から映像同期信号と映像データが入力された場合は、記憶手段への映像データ書き込みと駆動タイミングを同期させることで表示が乱れることなく動画像の表示を行うことができ、高品位な映像表示を得ることができる。
【００１７】
本発明の映像表示装置は、映像記憶手段は、映像データの読み出しと書き込みとを同時に行う構成を採る。
【００１８】
この構成によれば、記憶部を読み出しと書き込みの信号線をそれぞれ別に設けたデュアルポート構成とすることにより、映像データの書き込みと読み出しを同時に行うことができるので、動作クロック速度を低減することが可能となる。
【００１９】
本発明の映像表示装置は、制御信号を送信する場合と映像データを送信する場合とを示す識別信号を受信し、前記識別信号を用いて共通の信号線で外部から入力した制御信号及び映像データを含む信号を分離する分離手段を具備し、表示手段は、前記制御信号に従って前記映像データに対応する映像を表示する構成を採る。
【００２０】
この構成によれば、制御コマンドと映像データとを区別する制御信号を用いて共通の信号線で制御コマンドと映像データを送信することにより少ない信号線で映像表示を行うことができる。
【００２１】
本発明の映像表示装置は、制御信号を送信する場合と制御信号の引数を送信する場合とを示す引数識別信号を受信し、前記引数識別信号を用いて共通の信号線で外部から入力した制御信号及び制御信号の引数を含む信号を分離する分離手段を具備し、表示手段は、前記制御信号及び前記制御信号の引数に従って映像データに対応する映像を表示する構成を採る。
【００２２】
この構成によれば、制御コマンドと制御コマンドの引数を区別する制御信号を用いて共通の信号線で制御コマンドと制御コマンドの引数を送信することにより少ない信号線で高度な制御を行うことができる。
【００２３】
本発明の映像生成装置は、制御信号を送信する場合と映像データを送信する場合とを示す識別信号及び制御信号と映像データとを共通の信号線を用いて時分割で上記記載の映像表示装置に送信する信号送信手段を具備する構成を採る。
【００２４】
本発明の映像生成装置は、外部から入力された制御信号を記憶し、信号送信手段の要求に応じて記憶した制御信号を出力する信号記憶手段を具備する構成を採る。
【００２５】
これらの構成によれば、制御コマンドと映像データとを区別する制御信号を用いて共通の信号線で制御コマンドと映像データを送信することにより少ない信号線で映像表示を行うことができる。
【００２６】
本発明の映像生成装置は、制御信号を送信する場合と制御信号の引数を送信する場合とを示す引数識別信号及び制御信号と制御信号の引数とを共通の信号線を用いて時分割で上記記載の映像表示装置に送信する信号送信手段を具備する構成を採る。
【００２７】
本発明の映像生成装置は、外部から入力された制御信号及び制御信号の引数を記憶し、信号送信手段の要求に応じて記憶した制御信号及び制御信号の引数を出力する信号記憶手段を具備する構成を採る。
【００２８】
これらの構成によれば、制御コマンドと制御コマンドの引数を区別する制御信号を用いて共通の信号線で制御コマンドと制御コマンドの引数を送信することより少ない信号線で高度な制御を行うことができる。
【００２９】
本発明の映像生成装置は、信号送信手段が映像データを送信していない期間を示す外部から参照可能なフラグを記憶するフラグ記憶手段を具備する構成を採る。
【００３０】
この構成によれば、制御コマンドを発行可能か否かを示すフラグを用いることにより、外部の処理装置から制御コマンドを入力された場合に、映像データが送信されていない期間に映像表示装置に送信することができるので、制御コマンドを記憶する必要がなく、回路構成を小さくすることができる。
【００３１】
本発明の映像生成装置は、信号送信手段が映像データを送信していない期間に外部の処理装置に制御信号を要求する要求信号を送信する割り込み要求手段を具備する構成を採る。
【００３２】
この構成によれば、制御コマンドを発行可能であることを示す割り込み信号を外部の処理装置に出力することにより、外部の処理装置から制御コマンドを入力された場合に、映像データが送信されていない期間に映像表示装置に送信することができるので、制御コマンドを記憶する必要がなく、回路構成を小さくすることができる。
【００３３】
本発明の映像生成装置は、外部から入力された符号化映像データを復号化する復号化手段と、前記復号化した映像データの出力タイミングを示す映像同期信号を生成する映像同期信号生成手段と、を具備する構成を採る。
【００３４】
この構成によれば、上記記載の映像表示装置に映像同期信号と映像データを出力した場合は、記憶手段への映像データ書き込みと駆動タイミングを同期させることで表示が乱れることなく動画像の表示を行うことができ、高品位な映像表示を得ることができる。
【００３５】
本発明の映像生成装置は、復号化された映像データと外部から入力された画像データを選択する画像選択手段を具備し、信号送信手段は、上記記載の映像表示装置に前記選択された映像データまたは画像データを出力する構成を採る。
【００３６】
本発明の映像生成装置は、外部から入力された画像データを記憶し、記憶した画像データを画像選択手段に出力する画像記憶手段を具備する構成を採る。
【００３７】
本発明の映像生成装置は、復号化された映像データと外部から入力された画像データにそれぞれ所定の重み付けを行い、重み付けした映像データと画像データを加算して合成する画像合成手段を具備し、合成した映像データを上記記載の映像表示装置に出力する構成を採る。
【００３８】
本発明の映像生成装置は、外部から入力された画像データを記憶し、記憶した画像データを画像合成手段に出力する画像記憶手段を具備する構成を採る。
【００３９】
これらの構成によれば、映像データとグラフィックデータに重み付けをして合成することにより表示画像の表現力を向上することができる。
【００４０】
本発明の映像生成装置は、復号化手段及び映像同期信号生成手段の電力供給を制御し、前記復号化手段及び前記映像同期信号生成手段が動作しない場合、電力供給を停止する電源制御手段を具備する構成を採る。
【００４１】
この構成によれば、上記記載の映像表示装置が、内部に記憶した画像データを内部で発生した同期信号のタイミングで表示することにより、単独で映像データを表示する場合に、映像生成装置は、復号化手段及び映像同期信号生成手段の構成部分を動作させる必要がないので消費電力を低減することができる。
【００４２】
本発明の映像装置は、上記記載の映像表示装置を具備する構成を採る。また、本発明の映像装置は、上記記載の映像生成装置を具備する構成を採る。
【００４３】
これらの構成によれば、映像表示装置に外部からの信号の制御を行うインターフェースを用いて、映像データと制御コマンドを共通の信号線で転送することにより、信号線の削減ができ、映像装置を小型化することができる。
【００４４】
本発明の通信装置は、上記記載の映像表示装置を具備する構成を採る。また、本発明の通信装置は、上記記載の映像生成装置を具備する構成を採る。
【００４５】
これらの構成によれば、映像表示装置に外部からの信号の制御を行うインターフェースを用いて、映像データと制御コマンドを共通の信号線で転送することにより、信号線の削減ができ、通信装置を小型化することができる。
【００４６】
本発明の映像表示方法は、同期信号を供給し、前記同期信号と外部から供給される同期信号との一方を選択し、前記選択された同期信号に同期して映像を表示するようにした。
【００４７】
この方法によれば、内部に記憶した画像データを内部で発生した同期信号のタイミングで表示することにより、映像表示方法単独で映像データを表示することができる。
【００４８】
【発明の実施の形態】
本発明の骨子は、映像データを記憶し、装置内部で発生させた同期信号を用いて映像データに対応する映像を表示して動作しない装置部分の電源供給を停止し、外部から映像データと同期信号が入力された場合、外部から入力された映像データと同期信号を選択して映像を表示することである。
【００４９】
以下、本発明の実施の形態について、図面を参照して説明する。
（実施の形態１）
図１は、本発明の実施の形態１に係る映像装置の構成を示すブロック図である。
【００５０】
図１において、映像装置１００は、ＭＰＵ１０１と、映像生成装置１１０と、映像表示装置１２０と、から主に構成される。
【００５１】
映像生成装置１１０は、システムバスインタフェース部１１１と、同期信号生成部１１２と、映像データ生成部１１３と、選択部１１４と、信号記憶部１１５と、電源制御部１１６から主に構成される。
【００５２】
映像表示装置１２０は、分離部１２１と、表示制御部１２２と、タイミング信号発生部１２３と、タイミング信号選択部１２４と、映像データ書き込み部１２５と、記憶部１２６と、映像データ読み出し部１２７と、駆動部１２８と、映像表示部１２９と、から主に構成される。
【００５３】
システムバスインタフェース部１１１は、ＭＰＵ１０１から出力された符号化映像データを表示する場合、同期信号を生成する指示を同期信号生成部１１２に出力し、符号化映像データを復号化して出力する信号出力指示を映像データ生成部１１３に出力する。また、システムバスインタフェース部１１１は、電源供給部１１６に、同期信号生成部１１２及び映像データ生成部１１３が動作しているか否かを通知する。
【００５４】
同期信号生成部１１２は、システムバスインタフェース部１１１から同期信号を生成する指示が出力された場合、映像データを送信するタイミングを示す映像同期信号を映像データ生成部１１３、選択部１１４、及びタイミング信号選択部１２４に出力する。
【００５５】
映像データ生成部１１３は、システムバスインタフェース部１１１から出力された信号出力指示に従って、符号化映像データを復号化し、復号化した映像データと、記憶部１２６に映像データを書きこむ指示である書き込み信号（ＷＲ信号）と、記憶部１２６を選択する選択信号（ＣＳ信号）とを選択部１１４に出力する。
【００５６】
選択部１１４は、映像データ生成部１１３から映像データ、書き込み信号、及び選択信号が出力されている場合、これらの信号を分離部１２１に出力し、これらの信号が映像データ生成部１１３から出力されていないブランキング期間には、ブランキング期間であることを示すブランキング通知信号を信号記憶部１１５に出力して信号記憶部１１５に記憶されている制御コマンドを読み出し、分離部１２１に出力する。
【００５７】
また、選択部１１４は、出力される信号が映像データか制御コマンドかを識別する識別信号（Ａ０信号）を生成し、分離部１２１に出力する。
【００５８】
信号記憶部１１５は、ＭＰＵ１０１がシステムバスインタフェース部１１１を通して出力した制御コマンドを記憶し、選択部１１４からブランキング通知信号が出力された場合、記憶した制御コマンドを選択部１１４に出力する。
【００５９】
電源制御部１１６は、同期信号生成部１１２及び映像データ生成部１１３に電力を供給し、同期信号生成部１１２及び映像データ生成部１１３が動作していない場合、同期信号生成部１１２及び映像データ生成部１１３への電力供給を停止する。
【００６０】
分離部１２１は、識別信号に基づいて選択部１１４から出力された信号が映像データか制御コマンドかを識別し、選択部１１４から出力された信号が映像データである場合、映像データを映像データ書き込み部１２５に出力し、選択部１１４から出力された信号が制御コマンドである場合、制御コマンドを表示制御部１２２に出力する。
【００６１】
表示制御部１２２は、分離部１２１から出力された制御コマンドが、映像表示装置１２０が外部から供給される映像同期信号に同期して動作するよう指示するコマンドである場合、外部同期信号を選択する指示をタイミング信号選択部１２４に出力する。
【００６２】
タイミング信号発生部１２３は、映像表示部１２９の駆動タイミングを制御するフレームタイミング信号を発生してタイミング信号選択部１２４に出力する。
【００６３】
タイミング信号選択部１２４は、タイミング信号発生部１２３から出力されたフレームタイミング信号を駆動部１２８へ出力する。
【００６４】
また、タイミング信号選択部１２４は、記憶部１２６に蓄えられた映像データを読み出して駆動部１２８へ供給するタイミングを制御する読み出しタイミング信号を、映像読み出し部１２７に出力し、映像データを記憶部１２６に書き込み可能なタイミングを示す書き込み許可信号を、映像データ書き込み部１２５に出力する。
【００６５】
また、タイミング信号選択部１２４は、表示制御部１２２から外部同期信号を選択する指示を入力された場合、外部から入力される映像同期信号に同期したフレームタイミング信号を駆動部１２８へ、読み出しタイミング信号を映像読み出し部１２７へ出力する。
【００６６】
映像データ書き込み部１２５は、タイミング信号選択部１２４から書き込み許可信号が出力された場合、分離部１２１から出力された映像データを記憶部１２６に出力する。
【００６７】
記憶部１２６は、映像データ書き込み部１２５から出力された映像データを記憶し、要求に応じて映像データを映像データ読み出し部１２７に出力する。
【００６８】
映像データ読み出し部１２７は、タイミング信号選択部１２４から読み出しタイミング信号が出力された場合、読み出しタイミング信号が指示するタイミングに応じて記憶部１２６から映像データを読み出し、駆動部１２８に出力する。
【００６９】
駆動部１２８は、映像データ読み出し部１２７から出力された映像データを、タイミング信号選択部１２４から出力されたフレームタイミング信号のタイミングに合わせて映像表示部１２９に出力する。
【００７０】
映像表示部１２９は、駆動部１２８から出力された映像データを表示する。
【００７１】
次に、映像装置１００の動作について説明する。
【００７２】
映像表示装置１２０が単独で動作する場合、映像表示部１２９の駆動タイミングを制御するフレームタイミング信号がタイミング信号発生部１２３から出力され、タイミング信号選択部１２４を介して駆動部１２８に出力される。
【００７３】
また、記憶部１２６に記憶した映像データを読み出すタイミングを示す読み出しタイミング信号をフレームタイミング信号に同期したタイミングで映像データ読み出し部１２７に出力する。
【００７４】
映像データは、読み出しタイミング信号のタイミングに従って記憶部１２６から映像データ読み出し部１２７を介して駆動部１２８に出力され、フレームタイミング信号に同期したタイミングで映像表示部１２９に出力され、映像表示部１２９において映像として表示される。
【００７５】
このように、実施の形態１の映像装置は、タイミング信号発生部１２３において発生させたフレームタイミング信号を用いて記憶部１２６の映像データを表示することにより、外部からの映像同期信号及び映像データの供給がない状態でも映像表示を自律的に行うことができる。
【００７６】
映像生成装置１１０から供給される画像データを映像表示部１２９で表示する場合、ＭＰＵ１０１から出力された符号化映像データがシステムバスインタフェース部１１１を介して映像データ生成部１１３に出力される。
【００７７】
また、ＭＰＵ１０１から出力された制御コマンドに基づいて映像同期信号を生成する指示信号が同期信号生成部１１２に、映像データを出力する指示信号が映像データ生成部１１３に、（制御コマンドが信号記憶部１１５に）出力される。
【００７８】
システムバスインタフェース部１１１から出力される指示信号に従い、映像同期信号が同期信号生成部１１２において生成され、映像データ生成部１１３と選択部１１４とタイミング信号選択部１２４とに出力される。
【００７９】
映像データは、映像データ生成部１１３において符号化映像データを復号して生成され、同期信号生成部１１２から出力された映像同期信号に同期して選択部１１４、分離部１２１、及び映像データ書き込み部１２５を介して記憶部１２６に書きこまれる。
【００８０】
一方、同期信号生成部１１２から出力された映像同期信号が、タイミング信号選択部１２４を介して駆動部１２８に出力される。
【００８１】
また、記憶部１２６に記憶した映像データを読み出すタイミングを示す読み出しタイミング信号は、フレームタイミング信号に同期したタイミングで映像データ読み出し部１２７に出力される。
【００８２】
映像データは、読み出しタイミング信号のタイミングに従って記憶部１２６から映像データ読み出し部１２７を介して駆動部１２８に出力され、フレームタイミング信号に同期したタイミングで映像表示部１２９に出力され、映像表示部１２９において映像として表示される。
【００８３】
このように、実施の形態１の映像装置は、上記記載の映像表示装置に映像同期信号と映像データを出力した場合は、記憶手段への映像データ書き込みと駆動タイミングを同期させることで表示が乱れることなく動画像の表示を行うことができ、高品位な映像表示を得ることができる。
【００８４】
図２は、実施の形態１に係る映像装置の信号タイミング図を示す。
【００８５】
図２において、横軸は、時刻を示す。
【００８６】
映像表示装置１２０が単独で動作する場合、タイミング信号発生部１２３から出力されたフレームタイミング信号に同期して、記憶部１２６に記憶した映像データを読み出す。
【００８７】
映像表示装置１２０の単独の動作が外部からの映像表示動作に切り替わる場合、映像データと映像同期信号の生成と出力を指示するコマンド（１）がＭＰＵ１０１からシステムバスインタフェース部１１１に出力される。
【００８８】
コマンド（１）に従い、同期信号生成部１１２において映像同期信号（Ｖｓｙｎｃ）が生成され、映像データ生成部１１３と選択部１１４とタイミング信号選択部１２４に出力される。
【００８９】
また、同期信号生成部１１２から出力された映像同期信号に同期して映像データが映像データ生成部１１３において生成され、選択部１１４に出力される。
【００９０】
次に、ＭＰＵ１０１は、映像表示装置１２０が外部から供給される映像同期信号に同期して動作することを指示するコマンド（２）を出力し、システムバスインタフェース部１１１は、映像表示装置１２０の制御に関するものであることを判別した場合、信号記憶部１１５にコマンド（２）を書きこむ。
【００９１】
コマンド（２）は、選択部１１４において映像データを送信していない期間に信号記憶部１１５から読み出されて、分離部１２１に出力される。
【００９２】
そしてコマンド（２）は、分離部１２１において制御信号と判断され、表示制御部１２２を介してタイミング信号選択部１２４に出力される。
【００９３】
この信号記憶部１１５への書き込みは、データ信号、選択信号（ＣＳ信号）、書き込み信号（ＷＲ信号）によって行われる。
【００９４】
タイミング信号選択部１２４は、コマンド（２）を受け取ると、タイミング信号発生部１２３から出力されたフレームタイミング信号を出力した後に、出力するフレームタイミング信号を同期信号生成部１１２から出力された信号に変更する。
【００９５】
以後、同期信号生成部１１２から出力されたフレームタイミング信号に同期して、記憶部１２６に映像データの書き込み及び読み出しが行われる。
【００９６】
このように、映像表示装置１２０がコマンド（２）を受信後、同期化期間を経て映像同期信号（Ｖｓｙｎｃ）に同期したフレームタイミング信号を発生し、記憶部１２６の映像データ読み出しおよび書き込みも映像同期信号（Ｖｓｙｎｃ）に同期して動作する。
【００９７】
なお、図２では、ＭＰＵ１０１が発行した映像表示装置１２０へのコマンド（２）を、垂直同期信号（Ｖｓｙｎｃ）の垂直ブランキング期間に多重して映像表示装置１２０へ転送する例を示したが、水平同期信号（Ｈｓｙｎｃ）の水平ブランキング期間に多重しても良い。
【００９８】
図３は、実施の形態１に係る映像装置の信号タイミング図を示す。
【００９９】
図３において、ＭＰＵ１０１のコマンド（２）は、水平同期信号（Ｈｓｙｎｃ）３０１の水平ブランキング期間に出力されている。
【０１００】
また、本実施の形態１の映像装置では、映像生成装置が発生し映像表示装置へ供給する映像同期信号を図３に示すような垂直同期信号（Ｖｓｙｎｃ）と水平同期信号（Ｈｓｙｎｃ）としたが、これを例えば図４に示すような垂直同期信号（Ｖｓｙｎｃ）と有効データ信号（ＶＡＬＩＤ）としても、同様の効果作用が得られる。
【０１０１】
このように、本実施の形態１の映像装置は、上記記載の映像表示装置が、内部に記憶した画像データを内部で発生した同期信号のタイミングで表示することにより、単独で映像データを表示する場合に、映像生成装置は、復号化手段及び映像同期信号生成手段の構成部分を動作させる必要がないので消費電力を低減することができる
【０１０２】
また、本実施の形態１の映像装置は、制御コマンドと映像データとを区別する制御信号を用いて共通の信号線で制御コマンドと映像データを送信することにより少ない信号線で映像表示を行うことができる。
【０１０３】
また、本実施の形態１の映像装置は、映像表示装置に外部から映像同期信号と映像データが入力された場合に記憶部１２６への映像データ書き込みと映像表示部１２９の駆動タイミングとを同期させることで、書き換え途中の映像が表示されるなど表示が乱れることなく動画像の表示を行うことができる。
【０１０４】
また、本実施の形態１の映像装置は、ＭＰＵと映像表示装置を直接接続することなく、ＭＰＵから映像表示装置へ制御コマンドを転送することにより、少ない信号線で制御を行うことができる。
【０１０５】
（実施の形態２）
本発明の実施の形態２の映像装置は、ＭＰＵを映像表示装置に接続して制御及び映像データの転送を行う。
【０１０６】
図５は、実施の形態２に係る映像装置の構成の例を示すブロック図である。但し、図１と共通する構成については図１と同一番号を付し、詳しい説明を省略する。
【０１０７】
図５において、ＭＰＵ１０１と分離部１２１とをＭＰＵ１０１が制御するシステムバスで接続する。
【０１０８】
このシステムバスは、映像データをデータバスで、ＣＳ信号を選択信号の１本で、ＷＲ信号を書き込み信号で、Ａ０信号をアドレスバスの１本で、それぞれ接続することによって、ＭＰＵ１０１は所定のアドレスへのアクセスによりＡ０信号を論理レベルで制御することができ、映像表示装置１２０への制御コマンド供給と映像データ供給を行うことができる。
【０１０９】
このように、本実施の形態２の映像装置は、ＭＰＵを映像表示装置に直接接続して制御及び映像データの転送を行うことができ、映像データの動画像を表示するか否かに関わらず様々な電子装置を構成することができ、個々の電子装置ごとに映像表示装置を変更する必要がなく、電子装置のコストを削減することができる。
【０１１０】
また、表示する画像の種類によらず映像表示部分に同一の構成の映像表示装置を使用することができる。
【０１１１】
なお、本実施の形態２の映像装置では、ＣＳ信号をシステムバスの選択信号ＣＳ０、Ａ０信号をシステムバスのアドレスバスのＡｄｄｒｅｓｓ０に接続しているが、これに限らず、それぞれＣＳ信号は任意の選択信号、Ａ０信号はアドレスバスの任意の１本に接続してもよい。
【０１１２】
また、本実施の形態２の映像装置では、ＭＰＵまたは映像生成装置と映像表示装置の間のインタフェースをデータ、ＣＳ信号、ＷＲ信号としたが、データ、ＣＳ信号、読み出し書き込み識別信号（Ｒ／Ｗ信号）としても、同様の効果作用が得られる。
【０１１３】
（実施の形態３）
図６は、実施の形態３に係る映像装置の構成の例を示すブロック図である。但し、図１と共通する構成については図１と同一番号を付し、詳しい説明を省略する。
【０１１４】
図６の映像装置は、記憶部６０１を具備して、映像データの書き込みと読み出しとを同時に行う点が、図１と異なる。
【０１１５】
図６において、映像データ書き込み部１２５は、タイミング信号選択部１２４から書き込み許可信号が出力された場合、分離部１２１から出力された映像データを記憶部６０１に出力する。
【０１１６】
記憶部６０１は、映像データ書き込み部１２５から出力された映像データを記憶し、要求に応じて映像データを映像データ読み出し部１２７に出力する。また、記憶部６０１は、読み出しと書き込みの信号線を別に設けたデュアルポート構成を採り、映像データの書き込みと読み出しを同時に行う。
【０１１７】
映像データ読み出し部１２７は、タイミング信号選択部１２４から読み出しタイミング信号が出力された場合、読み出しタイミング信号が指示するタイミングに応じて記憶部６０１から映像データを読み出し、駆動部１２８に出力する。
【０１１８】
このように、本実施の形態３の映像装置は、記憶部を読み出しと書き込みの信号線をそれぞれ別に設けたデュアルポート構成とすることにより、映像データの書き込みと読み出しを同時に行うことができるので、動作クロック速度を低減することが可能となる。
【０１１９】
（実施の形態４）
図７は、実施の形態４に係る映像装置の構成の例を示すブロック図である。但し、図１と共通する構成については図１と同一番号を付し、詳しい説明を省略する。
【０１２０】
図７の映像装置は、フラグ７０２を備えるシステムバスインタフェース部７０１を具備して、ＭＰＵ１０１がフラグ７０２を参照して制御コマンドを選択部１１４に出力できる期間に制御コマンドを出力する点が、図１と異なる。
【０１２１】
図７において、システムバスインタフェース部７０１にＭＰＵ１０１からシステムバスを通して読み出し可能なフラグ７０２を備える。
【０１２２】
選択部１１４は、システムバスインタフェース部７０１からの信号を選択して分離部１２１に出力している場合、フラグ７０２を制御コマンド送信が有効と設定し、映像データ生成部１１３からの信号を選択して分離部１２１に出力している場合、フラグ７０２を制御コマンド送信が無効と設定する。
【０１２３】
ＭＰＵ１０１は、フラグ７０２を参照し、フラグ７０２が有効な時だけ映像生成装置１１０へ制御コマンドを発行する。
【０１２４】
このように、本実施の形態４の映像装置は、制御コマンドを発行可能か否かを示すフラグを用いることにより、外部の処理装置から制御コマンドを入力された場合に、映像データが送信されていない期間に映像表示装置に送信することができるので、制御コマンドを記憶する必要がなく、回路構成を小さくすることができる。
【０１２５】
（実施の形態５）
図８は、実施の形態５に係る映像装置の構成の例を示すブロック図である。但し、図１と共通する構成については図１と同一番号を付し、詳しい説明を省略する。
【０１２６】
図８の映像装置は、割込み信号発生部８０１を具備して、制御コマンドが発行可能であることを示す割り込み信号をＭＰＵに出力する点が、図１と異なる。
【０１２７】
図８において、割込み信号発生部８０１は、選択部１１４がシステムバスインタフェース部１１１の側を選択する期間の最初に割り込み信号を発生し、ＭＰＵ１０１に出力する。
【０１２８】
例えば、選択部１１４は映像同期信号の入力がないときには常にシステムバスインタフェース部１１１の側を選択して割込み信号発生部８０１へ出力するブランキング通知信号をＬｏｗとし、また、映像同期信号および映像データの入力があるときには選択部１１４がシステムバスインタフェース部１１１の側を選択する期間だけブランキング通知信号をＬｏｗとする。そして、割込み信号発生部８０１は、ブランキング通知信号がＨｉｇｈからＬｏｗへ変化した時に割り込み信号を発生する。
【０１２９】
ここで、同期信号生成部１１２の動作制御は、ＭＰＵ１０１が行うので、ＭＰＵ１０１は、映像同期信号が生成されているか否かを把握することができ、映像同期信号が生成されていないときは任意のタイミングで制御コマンドの発行を行い、映像同期信号が生成されているときは割り込み信号を受信した直後から映像同期信号のブランキング期間より定まる所定の時間内に制御コマンドを発行する。
【０１３０】
このように、本実施の形態５の映像装置は、制御コマンドを発行可能であることを示す割り込み信号を外部の処理装置に出力することにより、外部の処理装置から制御コマンドを入力された場合に、映像データが送信されていない期間に映像表示装置に送信することができるので、制御コマンドを記憶する必要がなく、回路構成を小さくすることができる。
【０１３１】
（実施の形態６）
図９は、実施の形態６に係る映像装置の構成の例を示すブロック図である。但し、図１と共通する構成については図１と同一番号を付し、詳しい説明を省略する。
【０１３２】
図９の映像装置は、制御コマンドと制御コマンドの引数を区別する制御信号を用いて共通の信号線で制御コマンドと制御コマンドの引数を送信する。
【０１３３】
図９において、システムバスインタフェース部９０１はシステムバスのアドレスバスのうち１ビットを識別信号（Ａ０信号）として信号記憶部９０３に書きこむ。
【０１３４】
選択部９０２は、映像データを分離部１２１に出力していないブランキング期間に信号記憶部９０３からデータ信号とＡ０信号を読み出し、分離部１２１に出力する。
【０１３５】
信号記憶部９０３はシステムバスインタフェース部９０１から入力されるデータ信号を記憶すると共にＡ０信号も記憶し、選択部９０２が信号記憶部９０３を選択した時は、記憶したデータ信号を制御コマンドまたは制御コマンドの引数として出力するのと共にＡ０信号を分離部１２１に出力する。
【０１３６】
このように、本実施の形態６の映像装置は、制御コマンドと制御コマンドの引数を区別する制御信号を用いて共通の信号線で制御コマンドと制御コマンドの引数を送信することより少ない信号線で高度な制御を行うことができる。
【０１３７】
（実施の形態７）
図１０は、実施の形態７に係る映像生成装置の構成の例を示すブロック図である。但し、図１と共通する構成については図１と同一番号を付し、詳しい説明を省略する。
【０１３８】
図１０の映像生成装置は、グラフィックデータ記憶部１００１と合成部１００２を具備し、映像データとグラフィックデータとを選択する、または重み付けをして合成するする点が、図１と異なる。
【０１３９】
図１０において、グラフィックデータ記憶部１００１は、システムバスインタフェース部１１１から出力されたグラフィックデータ及びセレクタ制御信号を記憶し、同期信号生成部１１２から出力される映像同期信号に同期してグラフィックデータ及び制御信号を合成部１００２に出力する。
【０１４０】
合成部１００２は、制御信号に従って、映像データ生成部１１３から出力される映像データとグラフィックデータ記憶部１００１から出力されるグラフィックデータを合成し、合成した映像データを選択部１１４に出力する。
【０１４１】
次に、合成部の例について説明する。
【０１４２】
図１１は、本実施の形態７に係る映像生成装置の合成部の例を示す図である。
【０１４３】
図１１の合成部１１００は、実施の形態７に係る映像生成装置の合成部１００２の動作を行う映像合成装置である。
【０１４４】
セレクタ１１０１は、システムバスインタフェース部１１１から出力されたセレクタ制御信号に従い、システムバスインタフェース部１１１から出力されたグラフィックデータと映像データ生成部１１３から出力された映像データのいずれかを選択して選択部１１４に出力する。
【０１４５】
このように、本実施の形態７の映像生成装置は、映像データとグラフィックデータとを選択して出力することにより表示画像の表現力を向上することができる。
【０１４６】
例えば、ＭＰＵ１０１は、システムバスインタフェース部１１１から出力されるデータのうち１ビットを使用して、表示する画像の選択を制御することにより、グラフィックデータ記憶部１００１に書きこむグラフィックデータを映像データの任意の位置に上書きする表示ができる。
【０１４７】
次に、合成部の別の例について説明する。
【０１４８】
図１２は、本実施の形態７に係る映像生成装置の合成部の例を示す図である。
【０１４９】
図１２の合成部１２００は、実施の形態７に係る映像生成装置の合成部１００２の動作を行う映像合成装置である。
【０１５０】
図１２において、合成部１２００は、係数テーブル１２０１と、乗算器１２０２と、乗算器１２０３と、加算器１２０４とから主に構成される。合成部１２００は、システムバスインタフェース部１１１から出力されたグラフィックデータと映像データ生成部１１３から出力された映像データとを所定の重みで合成して選択部１１４に出力する。
【０１５１】
係数テーブル１２０１は、システムバスインタフェース部１１１から出力される係数テーブル信号に基づいてグラフィックデータと映像データの合成比率を決定し、画像合成における映像データの重み係数を乗算器１２０２に出力し、画像合成におけるグラフィックデータの重み係数を乗算器１２０３に出力する。
【０１５２】
乗算器１２０２は、映像データに係数テーブル１２０１から出力された重み係数を乗算し、乗算結果を加算器１２０４に出力する。
【０１５３】
乗算器１２０３は、グラフィックデータに係数テーブル１２０１から出力された重み係数を乗算し、乗算結果を加算器１２０４に出力する。
【０１５４】
加算器１２０４は、乗算器１２０２から出力された乗算結果と乗算器１２０３から出力された乗算結果とを加算し、加算結果を合成した映像データとして選択部１１４に出力する。
【０１５５】
このように、本実施の形態７の映像生成装置は、映像データとグラフィックデータに重み付けをして合成することにより表示画像の表現力を向上することができる。
【０１５６】
例えば、合成部１２００を用いることにより映像データの任意の位置にグラフィックデータを透過表示することができる。
【０１５７】
（実施の形態８）
図１３は、実施の形態８に係る通信装置の構成の例を示すブロック図である。
【０１５８】
図１３の通信装置は、アンテナ１３０１と、ＲＦ部１３０２と、ベースバンド信号処理部１３０３と、音声コーデック部１３０４と、レシーバ１３０５と、マイク１３０６と、ＭＰＥＧ−４デコーダ部１３０７と、ＬＣＤパネルモジュール１３０８と、ＭＰＵ１０１とから主に構成される。
【０１５９】
図１３において、アンテナ１３０１は、無線信号を受信してＲＦ部１３０２に受信信号として出力し、ＲＦ部１３０２から出力された送信信号を送信する。
【０１６０】
ＲＦ部１３０２は、アンテナ１３０１から出力された受信信号をベースバンド周波数にダウンコンバートしてベースバンド信号処理部１３０３に出力し、ベースバンド信号処理部１３０３から出力された送信信号を無線周波数にアップコンバートしてアンテナ１３０１に出力する。
【０１６１】
ベースバンド信号処理部１３０３は、ＲＦ部１３０２から出力された受信信号を復調してＭＰＵ１０１に出力し、ＭＰＵ１０１から出力された送信信号を変調してＲＦ部１３０２に出力する。
【０１６２】
ＭＰＵ１０１は、ベースバンド信号処理部１３０３から出力された受信信号が音声符号化データである場合、音声符号化データを音声コーデック部１３０４に出力し、受信信号が映像符号化データである場合、映像符号化データをＭＰＥＧ−４デコーダ部１３０７に出力する。また、ＭＰＵ１０１は、音声コーデック部１３０４から出力された音声符号化信号を送信信号としてベースバンド信号処理部１３０３に出力する。
【０１６３】
音声コーデック部１３０４は、ＭＰＵ１０１から出力された音声符号化データを復号化し、得られた音声信号をレシーバ１３０５に出力し、マイク１３０６から出力された音声信号を符号化し、得られた音声符号化信号をＭＰＵ１０１に出力する。
【０１６４】
レシーバ１３０５は、音声コーデック部１３０４から出力された音声信号を音声として出力する。
【０１６５】
マイク１３０６は音声を入力して音声信号として音声コーデック部１３０４に出力する。
【０１６６】
ＭＰＥＧ−４デコーダ部１３０７は、ＭＰＵ１０１から出力された映像符号化データを復号して映像データを生成し、映像同期信号と共にＬＣＤパネルモジュール１３０８に出力する。
【０１６７】
ＬＣＤパネルモジュール１３０８は、復号した映像データの動画像を表示する。
【０１６８】
次に、本実施の形態８に係る通信装置の動作について説明する。
【０１６９】
受信信号は、アンテナ１３０１、ＲＦ部１３０２、及びベースバンド信号処理部１３０３を介してＭＰＵ１０１に出力される。
【０１７０】
受信した信号が映像符号化データである場合、ＭＰＵ１０１は、映像符号化データをＭＰＥＧ−４デコーダ部１３０７に出力し、ＭＰＥＧ−４デコーダ部１３０７において映像符号化データが復号されて映像データが生成され、映像同期信号と共にＬＣＤパネルモジュール１３０８に出力され、ＬＣＤパネルモジュール１３０８において映像データの動画像が表示される。
【０１７１】
また、受信した信号が音声符号化データである場合、ＭＰＵ１０１は、音声符号化データを音声コーデック部１３０４に出力し、音声コーデック部１３０４において音声符号化データから音声信号が生成され、レシーバ１３０５に出力される。また、マイク１３０６から入力された音声信号は、音声コーデック部１３０４において符号化され、ベースバンド信号処理部１３０３、ＲＦ部１３０２、アンテナ１３０１を通して送信される。
【０１７２】
本実施の形態８に係る通信装置は、映像データの動画像を表示しない場合、ＭＰＵ１０１は、ＭＰＥＧ−４デコーダ部１３０７を通してＬＣＤパネルモジュール１３０８を制御することができるので、ＬＣＤパネルモジュール１３０８にグラフィック等を表示することができる。またこの時、ＭＰＥＧ−４デコーダ部１３０７内部の映像符号化データを復号する部分の電源供給を停止することで、携帯電話機の消費電力を削減することができる。
【０１７３】
このように、本実施の形態８の通信装置によれば、映像表示装置に外部からの信号の制御を行うインターフェースを用いて、映像データと制御コマンドを共通の信号線で転送することにより、信号線の削減ができ、通信装置を小型化することができる。
【０１７４】
また、本実施の形態８の通信装置によれば、映像データとグラフィックデータとを加重加算して表示することにより、表現力を向上することができる。
【０１７５】
また、本実施の形態８の通信装置によれば、映像データ生成の部分の電源供給を停止することにより、映像データの生成の必要がない場合に消費電力を減少することができる。
【０１７６】
例えば、ＭＰＵ１０１とＬＣＤパネルモジュール１３０８を直接接続することなく、ＭＰＵ１０１からＬＣＤパネルモジュール１３０８の制御ができる。また、ＬＣＤパネルモジュール１３０８への映像データの供給と制御コマンドの供給を共通の信号線を用いることにより、信号線の削減を可能にし、通信装置の基板設計が容易になる。また、通信装置の小型化ができる。
【０１７７】
（実施の形態９）
図１４は、実施の形態９に係る通信装置の構成の例を示すブロック図である。但し、図１３と共通する構成については図１３と同一番号を付し、詳しい説明を省略する。
【０１７８】
図１４の通信装置は、アンテナ１３０１と、ＲＦ部１３０２と、ベースバンド信号処理部１３０３と、音声コーデック部１３０４と、レシーバ１３０５と、マイク１３０６と、ＬＣＤパネルモジュール１３０８と、ＭＰＵ１０１とから主に構成される。
【０１７９】
次に、本実施の形態９に係る通信装置の動作について説明する。
【０１８０】
受信信号は、アンテナ１３０１、ＲＦ部１３０２、及びベースバンド信号処理部１３０３を介してＭＰＵ１０１に出力される。
【０１８１】
ＭＰＵ１０１は、受信信号を音声コーデック部１３０４に出力し、音声コーデック部１３０４において受信信号から音声信号が生成され、レシーバ１３０５に出力される。また、マイク１３０６から入力された音声信号は、音声コーデック部１３０４において符号化され、ベースバンド信号処理部１３０３、ＲＦ部１３０２、アンテナ１３０１を通して送信される。
【０１８２】
また、ＭＰＵ１０１は、ＬＣＤパネルモジュール１３０８を制御することが可能であり、例えば、ＬＣＤパネルモジュール１３０８に対してグラフィック表示などを行うことができる。
【０１８３】
このような構成においては、ＬＣＤパネルモジュール１３０８からなる映像表示装置１２０をＭＰＵ１０１のシステムバスに直接接続してＭＰＵ１０１からの制御を行うことができる。実施の形態８と実施の形態９の通信装置は、映像データの動画像表示の有無など機能の異なる個々の携帯電話機に対して共通のＬＣＤパネルモジュール１３０８からなる映像表示装置１２０を使用することが可能となり、品種毎に個別のＬＣＤパネルモジュールを使用する場合に比べて、コストの削減に寄与する。
【０１８４】
このように、本実施の形態９の通信装置は、ＭＰＵを映像表示装置に接続して制御及び映像データの転送を行うことができる。
【０１８５】
なお、本発明の映像装置は、移動通信システムにおける携帯電話機、携帯テレビ電話機、コンピュータ機能を備える通信端末機等の移動局装置、または有線回線で接続される据え置き型の電話機やテレビ電話機、さらにはテレビ受像機、コンピュータおよびコンピュータ機能を有する情報端末装置等に用いることができる。
【０１８６】
この場合、映像表示装置に外部からの信号の制御を行うインターフェースを用いて、映像データと制御コマンドを共通の信号線で転送することにより、信号線の削減ができ、電子装置を小型化することができる。
【０１８７】
【発明の効果】
以上の説明のように本発明によれば、消費電力が少なく、回路規模の小さく、汎用性の高い構成で、予め記憶した映像データの画像表示と、外部からの画像表示とを行うことができる。
【図面の簡単な説明】
【図１】本発明の実施の形態１に係る映像装置の構成を示すブロック図
【図２】上記形態に係る映像装置の信号タイミング図
【図３】上記実施の形態に係る映像装置の信号タイミング図
【図４】上記実施の形態に係る映像装置の信号タイミング図
【図５】実施の形態２に係る映像表示装置の構成の例を示すブロック図
【図６】実施の形態３に係る映像装置の構成の例を示すブロック図
【図７】実施の形態４に係る映像装置の構成の例を示すブロック図
【図８】実施の形態５に係る映像装置の構成の例を示すブロック図
【図９】実施の形態６に係る映像装置の構成の例を示すブロック図
【図１０】実施の形態７に係る映像生成装置の構成の例を示すブロック図
【図１１】上記実施の形態に係る映像生成装置の合成部の例を示す図
【図１２】上記実施の形態に係る映像生成装置の合成部の例を示す図
【図１３】実施の形態８に係る通信装置の構成の例を示すブロック図
【図１４】実施の形態９に係る通信装置の構成の例を示すブロック図
【符号の説明】
１１１、７０１、９０１　システムバスインタフェース部
１１２　同期信号生成部
１１３　映像データ生成部
１１４、９０２　選択部
１１５　信号記憶部
１１６　電源制御部
１２１　分離部
１２２　表示制御部
１２３　タイミング信号発生部
１２４　タイミング信号選択部
１２５　映像データ書き込み部
１２６　記憶部
１２７　映像データ読み出し部
１２８　駆動部
１２９　映像表示部
６０１　記憶部
７０２　フラグ
８０１　割込み信号発生部
９０３　信号記憶部
１００１　グラフィックデータ記憶部
１００２、１１００、１２００　合成部
１１０１　セレクタ
１２０１　係数テーブル
１２０２、１２０３　乗算器
１２０４　加算器
【図１】
2004029799.tif 000003
【図２】
2004029799.tif 000004
【図３】
2004029799.tif 000005
【図４】
2004029799.tif 000006
【図５】
2004029799.tif 000007
【図６】
2004029799.tif 000008
【図７】
2004029799.tif 000009
【図８】
2004029799.tif 000010
【図９】
2004029799.tif 000011
【図１０】
2004029799.tif 000012
【図１１】
2004029799.tif 000013
【図１２】
2004029799.tif 000014
【図１３】
2004029799.tif 000015
【図１４】
2004029799.tif 000016